【手続補正書】
【提出日】平成17年7月5日(2005.7.5)
【手続補正１】
【補正対象書類名】明細書
【補正対象項目名】特許請求の範囲
【補正方法】変更
【補正の内容】
【特許請求の範囲】
【請求項１】
ネットワークを介したデータ通信を実行する通信端末装置において、
通信端末装置自身のアドレス設定処理を実行する制御手段を有し、
前記制御手段は、
通信端末装置のサブネット接続時における自己の通信ステータス判断処理を実行するとともに、該通信ステータスの判断結果に基づいて、アドレス設定処理プロセスとして実行するネットワークを介したメッセージ送信前の待機処理を省略するか否かを決定し、該決定結果に基づいて、待機時間を省略したメッセージ送信、あるいは待機時間経過後のメッセージ送信処理のいずれかを実行する構成を有することを特徴とする通信端末装置。
【請求項２】
前記メッセージは、ネットワーク上に接続されたルータに対するルータ要請（ＲＳ）メッセージであり、
前記制御手段は、
通信端末装置のサブネット接続時における自己の通信ステータス判断結果に基づいて、前記ルータ要請（ＲＳ）メッセージ送信前の待機処理を省略するか否かを決定する処理を実行する構成であることを特徴とする請求項１に記載の通信端末装置。
【請求項３】
前記メッセージは、ネットワーク上に接続されたルータに対するルータ要請（ＲＳ）メッセージであり、
前記制御手段は、
前記通信ステータスの判断結果に基づいて、前記ルータ要請（ＲＳ）メッセージに対して実行されるルータからのルータ通知（ＲＡ）メッセージの送信処理を待機時間なしで実行すべきか否かの識別データを前記ルータ要請（ＲＳ）メッセージに格納する処理を実行する構成であることを特徴とする請求項１に記載の通信端末装置。
【請求項４】
前記制御手段は、
前記通信ステータスの判断結果に基づいて、アドレス設定処理プロセスとして実行する重複アドレス検出処理を省略するか否かを決定し、該決定結果に基づいてアドレス設定処理を実行する構成を有することを特徴とする請求項１に記載の通信端末装置。
【請求項５】
前記アドレス設定処理は、インターネットプロトコルとしてのＩＰｖ６において実行するステートレス・アドレス自動設定(Stateless Address Auto Configuration)処理であり、前記重複アドレス検出処理は、その一処理としての重複アドレス検出（ＤＡＤ：Duplicated Address Detection）処理であることを特徴とする請求項４に記載の通信端末装置。
【請求項６】
前記制御手段は、
通信端末装置のサブネット接続時における自己の通信ステータス判断処理として、
該通信端末装置が、
（ａ）即座に実行すべき通信セッションが存在する状態、
（ｂ）即座に通信を実行する可能性のあるセッションが存在する状態、
（ｃ）即座に実行すべき通信セッションが存在しない状態、
のいずれの状態にあるかを判断する処理を実行し、該判断結果に基づいて、自己のアドレス設定処理時の処理シーケンスを変更して実行する構成であることを特徴とする請求項１に記載の通信端末装置。
【請求項７】
前記制御手段は、
前記３状態（ａ）、（ｂ）、（ｃ）の判別処理を、各通信セッションに対応したプロトコル・コントロールブロック（ＰＣＢ：Protocol Control Block）の登録セッション状況、およびソケットバッファ（Socket Buffer）の格納データパケット状況に基づいて行なう構成であることを特徴とする請求項６に記載の通信端末装置。
【請求項８】
前記アドレス設定処理は、インターネットプロトコルとしてのＩＰｖ６において実行するステートレス・アドレス自動設定(Stateless Address Auto Configuration)処理であることを特徴とする請求項１に記載の通信端末装置。
【請求項９】
前記アドレス設定処理は、インターネットプロトコルとしてのＩＰｖ６において実行するステートレス・アドレス自動設定(Stateless Address Auto Configuration)処理であり、
前記制御手段は、
自通信端末装置に設定されたＭＡＣアドレスをＩＰｖ６アドレスにおけるインターフェースＩＤとして設定する処理を実行する構成であることを特徴とする請求項１に記載の通信端末装置。
【請求項１０】
ネットワーク上に接続された通信中継装置であり、
通信処理を実行する通信端末装置からのルータ要請（ＲＳ）メッセージを受信し、
該受信ルータ要請（ＲＳ）メッセージの格納データに基づいて、
該受信ルータ要請（ＲＳ）メッセージに対応する応答メッセージとしてのルータ通知（ＲＡ）メッセージを待機時間を省略して送信するか、または待機時間の後に送信するかを決定し、該決定結果に基づいてルータ通知（ＲＡ）メッセージの送信処理を実行する構成を有することを特徴とする通信中継装置。
【請求項１１】
ネットワークを介したデータ通信を実行する通信端末装置と、前記ネットワーク上に接続された通信中継装置とを有する通信処理システムにおいて、
前記通信端末装置は、
通信端末装置のサブネット接続時における自己の通信ステータス判断処理を実行するとともに、該通信ステータスの判断結果に基づいて、アドレス設定処理プロセスとして実行するネットワークを介した前記通信中継装置に対するルータ要請（ＲＳ）メッセージ送信前の待機処理を省略するか否かを決定し、該決定結果に基づいて待機時間を省略したルータ要請（ＲＳ）メッセージ送信、あるいは待機時間経過後のルータ要請（ＲＳ）メッセージ送信処理のいずれかを実行する構成を有し、
前記通信中継装置は、
前記通信端末装置からのルータ要請（ＲＳ）メッセージを受信し、
該受信ルータ要請（ＲＳ）メッセージの格納データに基づいて、
該受信ルータ要請（ＲＳ）メッセージに対応する応答メッセージとしてのルータ通知（ＲＡ）メッセージを、待機時間を省略して送信するか、または待機時間の後に送信するかを決定し、該決定結果に基づいてルータ通知（ＲＡ）メッセージの送信処理を実行する構成を有することを特徴とする通信処理システム。
【請求項１２】
ネットワークを介したデータ通信を実行する通信端末装置におけるアドレス設定処理方法であり、
通信端末装置のサブネット接続時における自己の通信ステータス判断処理を実行する通信ステータス判断処理ステップと、
前記通信ステータスの判断結果に基づいて、アドレス設定処理プロセスとして実行するネットワークを介したメッセージ送信前の待機処理を省略するか否かを決定する待機時間処理決定ステップと、
前記待機時間処理決定結果に基づいて、待機時間を省略したメッセージ送信、あるいは待機時間経過後のメッセージ送信処理のいずれかを実行するメッセージ送信ステップと、
を有することを特徴とするアドレス設定処理方法。
【請求項１３】
ネットワーク上に接続された通信中継装置におけるデータ処理方法であり、
通信処理を実行する通信端末装置からのルータ要請（ＲＳ）メッセージを受信するステップと、
該受信ルータ要請（ＲＳ）メッセージの格納データに基づいて、該受信ルータ要請（ＲＳ）メッセージに対応する応答メッセージとしてのルータ通知（ＲＡ）メッセージを待機時間を省略して送信するか、または待機時間の後に送信するかを決定するステップと、
該決定結果に基づいてルータ通知（ＲＡ）メッセージの送信処理を実行するステップと、
を有することを特徴とするデータ処理方法。
【請求項１４】
ネットワークを介したデータ通信を実行する通信端末装置と、前記ネットワーク上に接続された通信中継装置とを有する通信処理システムにおける通信端末装置アドレス設定処理方法であり、
前記通信端末装置において、
通信端末装置のサブネット接続時における自己の通信ステータス判断処理を実行するとともに、該通信ステータスの判断結果に基づいて、アドレス設定処理プロセスとして実行するネットワークを介した前記通信中継装置に対するルータ要請（ＲＳ）メッセージ送信前の待機処理を省略するか否かを決定し、該決定結果に基づいてルータ要請（ＲＳ）メッセージの送信処理を実行し、
前記通信中継装置において、
前記通信端末装置からのルータ要請（ＲＳ）メッセージを受信し、
該受信ルータ要請（ＲＳ）メッセージの格納データに基づいて、該受信ルータ要請（ＲＳ）メッセージに対応する応答メッセージとしてのルータ通知（ＲＡ）メッセージを、待機時間を省略して送信するか、または待機時間の後に送信するかを決定し、該決定結果に基づいてルータ通知（ＲＡ）メッセージの送信処理を実行することを特徴とする通信端末装置アドレス設定処理方法。
【請求項１５】
ネットワークを介したデータ通信を実行する通信端末装置におけるアドレス設定処理をコンピュータ・システム上で実行するために記述されたコンピュータ・プログラムであって、
通信端末装置のサブネット接続時における自己の通信ステータス判断処理を実行する通信ステータス判断処理ステップと、
前記通信ステータスの判断結果に基づいて、アドレス設定処理プロセスとして実行するネットワークを介したメッセージ送信前の待機処理を省略するか否かを決定する待機時間処理決定ステップと、
前記待機時間処理決定結果に基づいて、待機時間を省略したメッセージ送信、あるいは待機時間経過後のメッセージ送信処理のいずれかを実行するメッセージ送信ステップと、
を有することを特徴とするコンピュータ・プログラム。
【請求項１６】
ネットワーク上に接続された通信中継装置におけるデータ処理をコンピュータ・システム上で実行するために記述されたコンピュータ・プログラムであって、
通信処理を実行する通信端末装置からのルータ要請（ＲＳ）メッセージを受信するステップと、
該受信ルータ要請（ＲＳ）メッセージの格納データに基づいて、該受信ルータ要請（ＲＳ）メッセージに対応する応答メッセージとしてのルータ通知（ＲＡ）メッセージを待機時間を省略して送信するか、または待機時間の後に送信するかを決定するステップと、
該決定結果に基づいてルータ通知（ＲＡ）メッセージの送信処理を実行するステップと、
を有することを特徴とするコンピュータ・プログラム。